(57)【要約】【課題】会議端末上で画像を描画する指またはペン等が接触する際の音が収集されてしまう。【解決手段】会議端末は、ユーザからの描画による入力を受け付けるとともに、画像を表示するタッチパネル・ディスプレイと、周囲の音声を収集する複数のマイクと、前記ユーザが描画している前記タッチパネル・ディスプレイ上の位置を判定して、当該描画している位置に応じて音声を収集する音声収集用のマイクを前記複数のマイクから選択する制御部と、を備える。【選択図】図２
2018060297.tif 000002
【特許請求の範囲】
【請求項１】
ユーザからの描画による入力を受け付けるとともに、画像を表示するタッチパネル・ディスプレイと、
周囲の音声を収集する複数のマイクと、
前記ユーザが描画している前記タッチパネル・ディスプレイ上の位置に応じて音声を収集する音声収集用のマイクを前記複数のマイクから選択する制御部と、
を備える会議端末。
【請求項２】
前記制御部は、前記描画している位置から最も遠いマイクを前記音声収集用のマイクとして選択する
請求項１に記載の会議端末。
【請求項３】
前記制御部は、前記タッチパネル・ディスプレイ上の位置に応じて予め設定されたマイクを前記音声収集用のマイクとして選択する
請求項１または２に記載の会議端末。
【請求項４】
前記制御部は、前記ユーザによる描画終了から予め定められた判定時間以上経過すると、最も収音レベルの高い前記マイクを前記音声収集用のマイクとして選択する
請求項１から３のいずれか１項に記載の会議端末。
【請求項５】
前記制御部は、前記描画している位置から最も遠いマイクが複数存在する場合、上方の前記マイクを優先的に前記音声収集用のマイクとして選択する
請求項１から４のいずれか１項に記載の会議端末。
【請求項６】
前記タッチパネル・ディスプレイは、水平方向及び鉛直方向に２×２で分割された４個の描画エリアを有し、
前記制御部は、前記ユーザが前記タッチパネル・ディスプレイ上の複数の描画エリアに描画している場合、前記複数の描画エリアからから最も遠いマイクが複数存在する場合、上方の前記マイクを優先的に前記音声収集用のマイクとして選択する
請求項１から４のいずれか１項に記載の会議端末。
【請求項７】
ユーザからの描画による入力を受け付けるとともに、画像を表示するタッチパネル・ディスプレイと、
周囲の音声を収集する複数のマイクと、
を備える会議端末のマイク選択方法において、
前記ユーザが描画している前記タッチパネル・ディスプレイ上の位置を判定する段階と、
当該描画している位置に応じて音声を収集する音声収集用のマイクを前記複数のマイクから選択する段階と、
を備えるマイク選択方法。
【請求項８】
ユーザからの描画による入力を受け付けるとともに、画像を表示するタッチパネル・ディスプレイと、
周囲の音声を収集する複数のマイクと、
を備える会議端末のコンピュータを、
前記ユーザが描画している前記タッチパネル・ディスプレイ上の位置を判定する機能と、
当該描画している位置に応じて音声を収集する音声収集用のマイクを前記複数のマイクから選択する機能と、
を実現させるためのプログラム。
【発明の詳細な説明】
【技術分野】
【０００１】
本発明は、会議端末、マイク選択方法、及び、プログラムに関する。
【背景技術】
【０００２】
ネットワークを介して遠隔地間で会議を行うためのビデオ会議システムが知られている。このようなビデオ会議システムでは、一の遠隔地で取得した画像及び音声のデジタルデータを他の遠隔地へ送信して、他の遠隔地のディスプレイ及びスピーカで画像及び音声を出力して共有している。
【０００３】
また、ビデオ会議システムでは、タッチパネル搭載型のディスプレイによって実現されるインタラクティブ・ホワイトボード（または、電子黒板）を有する会議端末に関する技術が知られている。このような会議端末は、一の遠隔地でユーザがタッチパネル上に手描きした画像を電気的な画像データに変換して、他の遠隔地へ送信する。他の遠隔地の会議端末は、当該画像データを受信すると、手描き画像をディスプレイ上に表示する。
【発明の概要】
【発明が解決しようとする課題】
【０００４】
しかしながら、上述の技術では、会議端末上で画像を描画する指またはペン等が接触する際の音が収集されてしまうといった課題がある。
【０００５】
本発明は、上記に鑑みてなされたものであって、会議端末上で画像を描画する音の収集を抑制できる会議端末を提供することを目的とする。
【課題を解決するための手段】
【０００６】
上述した課題を解決し、目的を達成するために、本発明の会議端末は、ユーザからの描画による入力を受け付けるとともに、画像を表示するタッチパネル・ディスプレイと、周囲の音声を収集する複数のマイクと、前記ユーザが描画している前記タッチパネル・ディスプレイ上の位置に応じて音声を収集する音声収集用のマイクを前記複数のマイクから選択する制御部と、を備える。
【発明の効果】
【０００７】
本発明によれば、描画時の音の収集を抑制できるという効果を奏する。
【図面の簡単な説明】
【０００８】
【図１】図１は、第１実施形態のビデオ会議システムの全体構成図である。
【図２】図２は、会議端末機能を有するインタラクティブ・ホワイトボートのハードウェア構成を説明するブロック図である。
【図３】図３は、入出力ボード部の正面図である。
【図４】図４は、マイク選択処理における会議端末の情報処理部の機能を説明する機能ブロック図である。
【図５】図５は、制御部が実行するマイク選択処理のフローチャートである。
【図６】図６は、ユーザがタッチパネル・ディスプレイの左上の描画エリアに描画している状態を示す図である。
【図７】図７は、第１変形例を説明するための入出力ボード部の正面図である。
【図８】図８は、第２変形例を説明するための入出力ボード部の正面図である。
【図９】図９は、第３変形例を説明するための入出力ボード部の正面図である。
【図１０】図１０は、第４変形例を説明するための入出力ボード部の正面図である。
【発明を実施するための形態】
【０００９】
以下の例示的な実施形態等の同様の構成要素には共通の符号を付与して、重複する説明を適宜省略する。
【００１０】
＜第１実施形態＞
図１は、第１実施形態のビデオ会議システム１０の全体構成図である。図１に示すように、ビデオ会議システム１０は、会議予約サーバ１２と、複数の会議端末１４ａ、１４ｂ、１４ｃ、１４ｄと、会議サーバ１６とを備える。複数の会議端末１４ａ、１４ｂ、１４ｃ、１４ｄを区別する必要がない場合、会議端末１４と記載する。会議予約サーバ１２、会議サーバ１６、及び、複数の会議端末１４は、画像データ及び音声データ等のデータを送受信可能なインターネット及びＬＡＮ（Local  Area  Network）等の通信ネットワーク１８を介して接続されている。
【００１１】
会議予約サーバ１２の一例は、コンピュータである。会議予約サーバ１２は、他のパーソナルコンピュータと接続されていてもよい。会議予約サーバ１２は、会議主催者等のユーザが入力した会議情報を会議端末１４から取得する。会議情報は、例えば、会議開催日時、場所、会議参加者、役割、参加する会議端末等に関する情報である。尚、会議予約サーバ１２は、会議端末１４以外の他のパーソナルコンピュータから会議情報を取得してもよい。
【００１２】
複数の会議端末１４は、互いに離れた位置（例えば、遠隔地）に設置されている。会議端末１４は、例えば、インタラクティブ・ホワイトボート機能を有するコンピュータである。インタラクティブ・ホワイトボート機能とは、通信可能なタッチパネル搭載型のディプレイによって実現される機能である。具体的には、インタラクティブ・ホワイトボート機能は、コンピュータからの指示によって表示する画像の画像データ、及び、ユーザが画面上で手描きした画像を変換した描画データを他の会議端末１４との間で送受信する。会議端末１４は、起動時に、自己が参加する会議端末１４として登録されているビデオ会議の会議情報が有るか否かを会議予約サーバ１２に問い合わせる。会議端末１４は、自己が参加するビデオ会議が存在する場合、予め設定されたビデオ会議用のプログラム等に基づいて、ビデオ会議の制御を実行する。例えば、会議端末１４は、ビデオ会議中において、ユーザから取得した画像データ及び音声データ等を会議サーバ１６へ送信する。会議端末１４は、他の会議端末１４でユーザが入力した画像データ及び音声データ等を会議サーバ１６から受信して、画像及び音声を出力する。
【００１３】
会議サーバ１６の一例は、コンピュータである。会議サーバ１６は、各会議端末１４が通信ネットワーク１８を介して自己と接続されているか否かの状態をモニタリングする。会議サーバ１６は、会議予約サーバ１２の会議情報に基づいて、会議開始時に会議端末１４の呼び出し制御を実行する。会議サーバ１６は、会議端末１４との情報の送受信を含むビデオ会議の制御を実行する。
【００１４】
図２は、会議端末機能を有するインタラクティブ・ホワイトボートのハードウェア構成を説明するブロック図である。図２に示すように、会議端末１４は、入出力ボード部２０と、通信Ｉ／Ｆ部２２と、操作部２４と、情報処理部２６とを有する。
【００１５】
入出力ボード部２０は、カメラ３０と、タッチパネル・ディスプレイ３２と、複数のマイク３４ａ、３４ｂ、３４ｃ、３４ｄ、・・・と、スピーカ３６とを有する。以下の説明において、マイク３４ａ、３４ｂ、３４ｃ、３４ｄを区別する必要がない場合、マイク３４と記載する。カメラ３０、タッチパネル・ディスプレイ３２、マイク３４、及び、スピーカ３６は、情報処理部２６とデータを送受信可能に接続されている。
【００１６】
カメラ３０の一例は、ＣＭＯＳセンサ及びＣＣＤセンサ等を有する撮像装置である。カメラ３０は、周囲の被写体を撮像して動画等の画像データを生成する。カメラ３０は、広角な範囲で周囲を撮像可能なことが好ましい。例えば、カメラ３０は、ビデオ会議に参加している会議端末１４の設置されている会議室の参加者等を撮像して画像データを生成する。カメラ３０は、撮像した画像データを情報処理部２６へ送信する。
【００１７】
タッチパネル・ディスプレイ３２は、液晶表示装置等による画像を表示する表示機能と、ユーザ（例えば、ビデオ会議の参加者）からの描画による入力を受け付けるタッチパネル機能とを有する。例えば、タッチパネル・ディスプレイ３２は、ビデオ会議に参加している他の会議端末１４が送信した画像データを情報処理部２６から取得して、画像を表示する。タッチパネル・ディスプレイ３２は、ユーザが指またはペン等で接触することによる入力を受け付けると、当該接触した位置の座標データを情報処理部２６へ送信する。タッチパネル・ディスプレイ３２は、ユーザが直接接触していなくても入力を受け付けることができるホバリング検知機能を有してもよい。ホバリング検知機能を有するタッチパネル・ディスプレイ３２の一例は、ディスプレイ一体型の静電容量方式タッチパネルである。
【００１８】
マイク３４は、周囲の音声を収集して、当該音声を電気的な音声データに変換して、情報処理部２６へ送信する。例えば、マイク３４は、ビデオ会議の参加者の発言等の音声を収集して音声データに変換して、送信する。
【００１９】
スピーカ３６は、情報処理部２６から受信した音声データを音声に変換して外部に出力する。例えば、スピーカ３６は、ビデオ会議に参加している他の会議端末１４が送信した音声データを情報処理部２６から取得して、音声を出力する。
【００２０】
通信Ｉ／Ｆ部２２は、データを送受信可能に情報処理部２６及び通信ネットワーク１８と接続する。これにより、通信Ｉ／Ｆ部２２は、画像データ及び音声データ等のデータを送受信可能に情報処理部２６を、会議予約サーバ１２、会議サーバ１６、及び、他の会議端末１４と接続する。通信Ｉ／Ｆ部２２は、例えば、１０Ｂａｓｅ−Ｔ、１００Ｂａｓｅ−ＴＸ、及び、１０００Ｂａｓｅ−Ｔの少なくともいずれかに対応したＥｔｈｅｒｎｅｔ（登録商標）に接続可能な有線ＬＡＮのインターフェースである。また、通信Ｉ／Ｆ部２２は、８０２．１１ａ／ｂ／ｇ／ｎに対応した無線ＬＡＮのインターフェースであってもよい。
【００２１】
操作部２４は、ユーザからの入力を受け付ける。操作部２４は、例えば、キーボード、操作ボタン及びマウス等の少なくともいずれかを有する。操作部２４は、情報処理部２６とデータを送受信可能に接続されている。操作部２４は、ユーザから受け付けた入力に関するデータを情報処理部２６へ送信する。
【００２２】
情報処理部２６は、会議端末１４の制御全般を司る。情報処理部２６の一例は、コンピュータである。情報処理部２６は、入出力ボード部２０と一体に設けられていてもよく、入出力ボード部２０とは別部品として設けられていてもよい。情報処理部２６は、制御部４０と、記憶装置４２と、メモリ４４とを有する。
【００２３】
制御部４０は、例えば、ＣＰＵ（Central  Processing  Unit）を含むハードウェアのプロセッサ等の演算処理装置である。制御部４０は、カメラ３０、タッチパネル・ディスプレイ３２、マイク３４、スピーカ３６、通信Ｉ／Ｆ部２２、及び、操作部２４とデータを送受信可能に接続されている。制御部４０は、機器制御を実行する。具体的には、制御部４０は、カメラ３０、タッチパネル・ディスプレイ３２、マイク３４、スピーカ３６、及び、操作部２４の機器を制御する。例えば、制御部４０は、カメラ３０から会議室内のユーザ等の画像データを取得する。制御部４０は、他の会議端末１４等から受信した音声データをスピーカ３６へ送信して音声を出力させる。制御部４０は、他の会議端末１４等から受信した画像データ及び描画データをタッチパネル・ディスプレイ３２へ送信して画像を表示させる。制御部４０は、マイク３４からユーザが発言した音声等の音声データを取得する。制御部４０は、タッチパネル・ディスプレイ３２から取得したユーザが描画した画像の座標データに基づいて描画データを生成する。制御部４０は、ＣＯＤＥＣ（Coder/Decoder）機能によってビデオ会議の制御を実行してよい。制御部４０が有するＣＯＤＥＣ機能は、例えば、Ｈ．２６４／ＡＶＣ、Ｈ．２６４／ＳＶＣ及びＨ．２６５等である。例えば、制御部４０は、ビデオ会議において、画像データ、音声データ、及び、描画データにエンコード等の処理をした後、通信Ｉ／Ｆ部２２を介して、当該データを会議サーバ１６へ送信してよい。制御部４０は、通信Ｉ／Ｆ部２２を介して会議サーバ１６から取得した他の会議端末１４の画像データ、音声データ及び描画データ等にデコード等の処理をした後、当該データをタッチパネル・ディスプレイ３２及びスピーカ３６に送信してよい。
【００２４】
記憶装置４２は、制御部４０が実行する機器制御及びビデオ会議の制御で実行するマイク選択処理用のプログラム及びプログラムの実行に必要なパラメータ等のデータを記憶する。記憶装置４２は、例えば、フラッシュメモリ、ＨＤＤ（Hard  Disk  Drive）及びＳＳＤ（Solid  State  Drive）等の不揮発性の記憶媒体である。
【００２５】
メモリ４４は、制御部４０が実行するプログラムの展開及びプログラム実行中の演算データ等を一時的に記憶する。メモリ４４は、例えば、ＤＤＲ  ＳＤＲＡＭ（Double-Data-Rate  SDRAM）等の揮発性のメモリである。
【００２６】
図３は、入出力ボード部２０の正面図である。図３に示すように、タッチパネル・ディスプレイ３２は、入出力ボード部２０のほぼ中央に配置されている。ユーザがペン４６等を接触しつつタッチパネル・ディスプレイ３２上を移動させると、タッチパネル・ディスプレイ３２は、当該移動の軌跡に沿った画像ＤＲを表示する。タッチパネル・ディスプレイ３２は、水平方向及び鉛直方向に２×２で分割された４つの描画エリアＡＲ１、ＡＲ２、ＡＲ３、ＡＲ４を有する。描画エリアＡＲ１、ＡＲ２、ＡＲ３、ＡＲ４を区別する必要がない場合、描画エリアＡＲと記載する。尚、説明上図面に点線を付与して描画エリアＡＲを分割しているが、４つの描画エリアＡＲは、物理的に分割されていなくてよい。好ましくは、ユーザが当該４つの描画エリアＡＲを視認できない方がよい。４つの描画エリアＡＲは、例えば、同じ面積を有する。描画エリアＡＲ１は、タッチパネル・ディスプレイ３２の左上に配置されている。描画エリアＡＲ２は、タッチパネル・ディスプレイ３２の右上に配置されている。描画エリアＡＲ３は、タッチパネル・ディスプレイ３２の右下に配置されている。描画エリアＡＲ４は、タッチパネル・ディスプレイ３２の左下に配置されている。
【００２７】
カメラ３０は、タッチパネル・ディスプレイ３２の上方であって、入出力ボード部２０の上部の中央部に配置されている。
【００２８】
スピーカ３６は、タッチパネル・ディスプレイ３２の下方であって、入出力ボード部２０の下部に配置されている。
【００２９】
図３に示すように、本実施形態の入出力ボード部２０は、４個のマイク３４ａ、３４ｂ、３４ｃ、３４ｄを有する。マイク３４の個数は、描画エリアＡＲの個数と同じである。換言すれば、描画エリアＡＲの個数及び配置は、マイク３４の個数に合わせて設定することが好ましい。４個のマイク３４は、互いに離れた位置に配置されている。具体的には、マイク３４ａは、入出力ボード部２０の左上に配置されている。マイク３４ｂは、入出力ボード部２０の右上に配置されている。マイク３４ｃは、入出力ボード部２０の右下に配置されている。マイク３４ｄは、入出力ボード部２０の左下に配置されている。即ち、４個のマイク３４ａ、３４ｂ、３４ｃ、３４ｄは、それぞれ描画エリアＡＲ１、ＡＲ２、ＡＲ３、ＡＲ４と関連付けて配置されている。具体的には、マイク３４ａは、描画エリアＡＲ１の近傍に関連付けて配置されている。マイク３４ｂは、描画エリアＡＲ２の近傍に関連付けて配置されている。マイク３４ｃは、描画エリアＡＲ３の近傍に関連付けて配置されている。マイク３４ｄは、描画エリアＡＲ４の近傍に関連付けて配置されている。
【００３０】
次に、上述したビデオ会議システム１０の動作について説明する。ここでは、一例として、会議端末１４ａ、１４ｂ、１４ｃが参加するビデオ会議について説明する。会議予約サーバ１２の会議情報に登録されたビデオ会議の時間になると、会議サーバ１６は、当該会議情報に参加する会議端末１４として登録されている会議端末１４を呼び出す。これにより、会議端末１４は、呼び出しに応じた会議端末１４とのデータの送受信を開始する。
【００３１】
例えば、会議端末１４ａが、カメラ３０で撮像したユーザ（例えば、会議参加者）の画像データ、マイク３４が取得したユーザの発言等の音声データ、及び、ユーザがタッチパネル・ディスプレイ３２に描画した画像の描画データ等を会議サーバ１６へ送信する。この場合、会議サーバ１６は、受信したデータを参加している会議端末１４ｂ、１４ｃに送信するが、ビデオ会議に不参加の会議端末１４ｄには当該データを送信しない。これにより、ビデオ会議に参加中の会議端末１４ｂ、１４ｃは、受信したデータに基づいて、タッチパネル・ディスプレイ３２に画像データ及び描画データの画像を反映させて表示するとともに、音声データの音声をスピーカ３６から出力する。同様に、会議サーバ１６は、会議端末１４ｂ（または会議端末１４ｃ）からデータを受信すると、会議端末１４ａ、１４ｃ（または会議端末１４ａ、１４ｂ）にはデータを送信するが、会議端末１４ｄにはデータを送信しない。これにより、ビデオ会議システム１０は、複数の会議端末１４のうち、予め会議情報に登録された複数の会議端末１４によって多拠点間でのビデオ会議を実現する。
【００３２】
ここで、本実施形態では、会議端末１４は、予め定められた条件を満たす場合、後述するマイク選択処理によって選択されたマイク３４が生成した音声データのみを会議サーバ１６へ送信する。一方、会議端末１４は、予め定められた条件を満たさない場合、取得した音声の収音レベルの最も高いマイク３４が取得した音声データを会議サーバ１６へ送信する。予め定められた条件の一例は、ユーザがタッチパネル・ディスプレイ３２に画像等を描画している時間及び描画終了から予め定められた判定時間が経過するまでの時間である。
【００３３】
図４は、マイク選択処理における会議端末１４の情報処理部２６の機能を説明する機能ブロック図である。図４に示すように、情報処理部２６は、判定部５０と、選択部５２と、記憶部５４とを有する。判定部５０及び選択部５２は、制御部４０が記憶部５４に格納されたマイク選択処理用のプログラムを読み込むことによってメモリ４４に展開されて実現される機能である。尚、判定部５０及び選択部５２の一部または全部は、ＡＳＩＣ（Application  Specific  Integrated  Circuit）を含む回路等のハードウェアによって構成されてもよい。記憶部５４は、記憶装置４２及びメモリ４４によって実現される機能である。
【００３４】
判定部５０は、ビデオ会議の制御処理において実行されるマイク選択処理における種々の判定を実行する。例えば、判定部５０は、ビデオ会議が終了した否か、即ち、ビデオ会議が継続中か否かの判定を実行する。判定部５０は、継続中であると判定すると、継続中である旨の判定結果を選択部５２へ出力する。
【００３５】
判定部５０は、タッチパネル・ディスプレイ３２の画面上にユーザが描画中か否かの判定を実行する。判定部５０は、例えば座標データを受け取ることによってタッチパネル・ディスプレイ３２に描画中と判定すると、ユーザが描画しているタッチパネル・ディスプレイ３２上の位置を判定して、更に、描画している位置がいずれの描画エリアＡＲに含まれるかを判定する。判定部５０は、ユーザの描画位置の描画エリアＡＲの情報を選択部５２へ出力する。
【００３６】
判定部５０は、タッチパネル・ディスプレイ３２への描画終了から判定時間以上経過したか否かを判定する。判定時間は、予め定められて記憶部５４に格納されている。尚、判定部５０は、ユーザが一度描画した後は、描画終了から判定時間以上経過したと判定するまで、上述のビデオ会議が終了した否かの判定を実行しない。
【００３７】
選択部５２は、判定部５０からビデオ会議が継続中である旨の判定結果を取得すると、音声収集用のマイク３４として、収音レベルが最も高いマイク３４を選択する。
【００３８】
選択部５２は、音声を収集する音声収集用のマイク３４を複数のマイク３４から選択する。例えば、選択部５２は、ユーザがタッチパネル・ディスプレイ３２に描画している場合、タッチパネル・ディスプレイ３２上の描画している位置に応じて予め設定されたマイク３４を複数のマイク３４から音声収集用のマイク３４として選択する。具体的には、選択部５２は、判定部５０からユーザが描画している位置を含む描画エリアＡＲの情報を取得すると、当該描画エリアＡＲに基づいて、音声収集用のマイク３４を選択する。例えば、選択部５２は、描画エリアＡＲから最も遠いマイク３４、即ち、描画している位置から最も遠いマイク３４を音声収集用のマイク３４として選択する。
【００３９】
ここで、選択部５２は、ユーザの描画終了から判定時間以上経過するまで、判定部５０から継続中である旨の判定結果を取得しない。従って、選択部５２は、ユーザが一度描画した後は、タッチパネル・ディスプレイ３２への描画終了から判定時間以上経過するまで、収音レベルが最も高いマイク３４を選択することなく、描画している位置に基づいて選択したマイク３４を音声収集用のマイク３４として継続させる。一方、選択部５２は、ユーザが一度描画した後、タッチパネル・ディスプレイ３２への描画終了から判定時間以上経過して、判定部５０からビデオ会議が継続中である旨の判定結果を取得すると、音声収集用のマイク３４として、収音レベルが最も高いマイク３４を選択する。
【００４０】
記憶部５４は、プログラム及びプログラムの実行に必要なパラメータ等のデータを記憶する。例えば、記憶部５４は、マイク選択処理用のプログラムを記憶する。記憶部５４は、タッチパネル・ディスプレイ３２の描画エリアＡＲの座標データ、各マイク３４の位置、及び、判定時間等を記憶する。
【００４１】
本実施形態の会議端末１４の制御部４０が実行するマイク選択処理用のプログラムは、上述した各部（判定部５０及び選択部５２）を含むモジュール構成となっている。実際のハードウェアとしては制御部４０が上記記憶装置４２からマイク選択処理用のプログラムを読み出して実行することにより、上記各部が主記憶装置上にロードされる。これにより、判定部５０及び選択部５２が主記憶装置上に生成されて、これらの機能がコンピュータに実現されるようになっている。
【００４２】
例えば、本実施形態の会議端末１４の制御部４０で実行されるマイク選択処理用のプログラムは、記憶装置４２等に予め組み込まれて提供される。本実施の形態の会議端末１４の制御部４０で実行されるマイク選択処理用のプログラムは、インストール可能な形式又は実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録して提供するように構成してもよい。
【００４３】
さらに、本実施形態の会議端末１４の制御部４０で実行されるマイク選択処理用のプログラムを、インターネット等のネットワークに接続されたコンピュータ上に格納し、ネットワーク経由でダウンロードさせることにより提供するように構成しても良い。また、本実施形態の会議端末１４の制御部４０で実行されるマイク選択処理用のプログラムをインターネット等のネットワーク経由で提供または配布するように構成しても良い。
【００４４】
図５は、制御部４０が実行するマイク選択処理のフローチャートである。制御部４０は、マイク選択処理用のプログラムを読み込むことによって、ビデオ会議の制御処理の一部として、マイク選択方法の一例であるマイク選択処理を実行する。
【００４５】
図５に示すように、マイク選択処理では、制御部４０の判定部５０は、ビデオ会議が開始すると、ビデオ会議が終了したか否かを判定する（Ｓ１０２）。例えば、判定部５０は、ユーザが操作部２４を操作してビデオ会議の終了の指示を入力したか否かによって、ビデオ会議の終了を判定する。判定部５０は、ビデオ会議が終了していない、即ち、ビデオ会議が継続中と判定すると（Ｓ１０２：Ｎｏ）、当該判定結果を選択部５２に出力する。
【００４６】
選択部５２は、判定部５０からビデオ会議が継続中である旨の判定結果を取得すると、収音レベルが最大のマイク３４を、音声収集用のマイク３４として選択する（Ｓ１０４）。これにより、制御部４０は、収音レベルが最大のマイク３４が収音した音声の音声データを会議サーバ１６へと送信する。
【００４７】
判定部５０は、ユーザ（例えば、会議参加者）がタッチパネル・ディスプレイ３２に描画しているか否かを判定する（Ｓ１０８）。例えば、判定部５０は、タッチパネル・ディスプレイ３２からユーザが描画している位置の座標データを受け取るか否かによって、描画しているか否かを判定する。判定部５０は、ユーザがタッチパネル・ディスプレイ３２に描画していないと判定すると（Ｓ１０８：Ｎｏ）、ステップＳ１０２以降を繰り返す。
【００４８】
一方、判定部５０は、ユーザがタッチパネル・ディスプレイ３２に描画していると判定すると（Ｓ１０８：Ｙｅｓ）、タッチパネル・ディスプレイ３２から取得した座標データ及び記憶部５４に格納されている描画エリアの座標データに基づいて、描画している位置がいずれの描画エリアＡＲかを判定する。図６は、ユーザがタッチパネル・ディスプレイ３２の左上の描画エリアＡＲ１に描画している状態を示す図である。
【００４９】
判定部５０は、描画している位置が左上の描画エリアＡＲ１か否かを判定する（Ｓ１１０）。判定部５０は、図６に示すように、描画している位置が左上の描画エリアＡＲ１と判定すると（Ｓ１１０：Ｙｅｓ）、描画エリアＡＲ１の情報を選択部５２へ出力する。選択部５２は、判定部５０から描画エリアＡＲ１の情報を取得すると、音声収集用のマイク３４として描画エリアＡＲ１から最も遠く描画の音を収集しにくい右下のマイク３４ｃを選択する（Ｓ１１２）。
【００５０】
判定部５０は、描画している位置が左上の描画エリアＡＲ１でないと判定すると（Ｓ１１０：Ｎｏ）、描画している位置が右上の描画エリアＡＲ２か否かを判定する（Ｓ１１４）。判定部５０は、描画している位置が右上の描画エリアＡＲ２と判定すると（Ｓ１１４：Ｙｅｓ）、描画エリアＡＲ２の情報を選択部５２へ出力する。選択部５２は、判定部５０から描画エリアＡＲ２の情報を取得すると、音声収集用のマイク３４として描画エリアＡＲ２から最も遠く描画の音を収集しにくい左下のマイク３４ｄを選択する（Ｓ１１６）。
【００５１】
判定部５０は、描画している位置が右上の描画エリアＡＲ２でないと判定すると（Ｓ１１４：Ｎｏ）、描画している位置が右下の描画エリアＡＲ３か否かを判定する（Ｓ１１８）。判定部５０は、描画している位置が右下の描画エリアＡＲ３と判定すると（Ｓ１１８：Ｙｅｓ）、描画エリアＡＲ３の情報を選択部５２へ出力する。選択部５２は、判定部５０から描画エリアＡＲ３の情報を取得すると、音声収集用のマイク３４として描画エリアＡＲ３から最も遠く描画の音を収集しにくい左上のマイク３４ａを選択する（Ｓ１２０）。
【００５２】
判定部５０は、描画している位置が右下の描画エリアＡＲ３でないと判定した場合（Ｓ１１８：Ｎｏ）、描画している位置は残りの左下の描画エリアＡＲ４となるので、判定部５０は、描画エリアＡＲ４の情報を選択部５２へ出力する。選択部５２は、判定部５０から描画エリアＡＲ４の情報を取得すると、音声収集用のマイク３４として描画エリアＡＲ４から最も遠く描画の音を収集しにくい右上のマイク３４ｂを選択する（Ｓ１２２）。
【００５３】
選択部５２がステップＳ１１２、Ｓ１１６、Ｓ１２０、Ｓ１２２においていずれかのマイク３４を選択すると、判定部５０は描画終了から予め定められて記憶部５４に格納された判定時間経過以上したか否かを判定する（Ｓ１２４）。尚、判定部５０は、タッチパネル・ディスプレイ３２から描画の座標データを受け付けなくなると、描画終了と判定してよい。判定部５０は、描画終了から判定時間経過以上していないと判定すると（Ｓ１２４：Ｎｏ）、ステップＳ１２４を繰り返して待機状態となる。これにより、選択部５２が描画中の位置を含む描画エリアＡＲに基づいて選択したマイク３４によって音声収集が継続される。
【００５４】
判定部５０は、描画終了から判定時間経過以上したと判定すると（Ｓ１２４：Ｙｅｓ）、ステップＳ１０２以降を繰り返す。これにより、選択部５２は、ステップＳ１０４で収音レベルが最大のマイク３４を再度選択する。この後、判定部５０が、ビデオ会議が終了したと判定すると（Ｓ１０２：Ｙｅｓ）、ビデオ会議の制御処理とともにマイク選択処理を終了する。
【００５５】
上述したように、ビデオ会議システム１０の会議端末１４では、制御部４０の選択部５２が、ユーザが描画している描画エリアＡＲから最も遠いマイク３４を選択するので、描画により生じる音の収集を抑制できる。これにより、会議端末１４は、描画により生じる音を他の会議端末１４へ送信することを抑制して、他の会議端末１４でノイズが出力されることを抑制できる。
【００５６】
会議端末１４では、制御部４０の判定部５０が描画終了から判定時間以上経過したと判定するまで、選択部５２が描画中の描画エリアＡＲで選択したマイク３４によって音声収集が継続される。これにより、ユーザが描画エリアＡＲを跨いで描画した場合、及び、ユーザが一時的に描画を中止して発言等をしている場合でも、会議端末１４は、音声収集のマイク３４が頻繁かつ不自然に切り替わることを低減して、マイク３４の切り替わりによる違和感を低減できる。
【００５７】
上述した実施形態の一部を変形した変形例について説明する。以下の変形例では、タッチパネル・ディスプレイ３２が、上述のシングルタッチのみならず、同時に複数個所に描画するマルチタッチを受け付け可能な構成となっている。
【００５８】
＜第１変形例＞
図７は、第１変形例を説明するための入出力ボード部２０の正面図である。図７に示す状況では、判定部５０は、ユーザがタッチパネル・ディスプレイ３２の３個所に同時に描画していると判定して、当該描画している位置を含む描画エリアＡＲ１、ＡＲ３、ＡＲ４の情報を選択部５２に出力する。選択部５２は、描画エリアＡＲ１、ＡＲ３、ＡＲ４の情報を取得すると、描画中の３個所の描画エリアＡＲ１、ＡＲ３、ＡＲ４のいずれからも最も遠いマイク３４ｂを選択する。例えば、選択部５２は、３個所の描画エリアＡＲ１、ＡＲ３、ＡＲ４の重心から最も遠いマイク３４ｂを選択する。換言すれば、選択部５２は、描画されていない描画エリアＡＲ２に最も近いマイク３４ｂを選択する。
【００５９】
＜第２変形例＞
図８は、第２変形例を説明するための入出力ボード部２０の正面図である。図８に示す状況では、ユーザがタッチパネル・ディスプレイ３２の２個所に同時に描画している。この場合、判定部５０は、当該描画している位置を含むタッチパネル・ディスプレイ３２の複数の描画エリアＡＲ１、ＡＲ３の情報を選択部５２に出力する。選択部５２は、描画エリアＡＲ１、ＡＲ３の情報を取得すると、描画中の描画エリアＡＲ１、ＡＲ３のいずれからも最も遠いマイク３４を選択する。但し、ユーザが交差した２個所の描画エリアＡＲ１、ＡＲ３（または描画エリアＡＲ２、ＡＲ４）に描画しており、描画している位置及び描画エリアＡＲから最も遠いマイク３４が複数（例えば、２つ）ある場合、選択部５２は、ユーザＵＳの体で覆われる可能性の低い上方のマイク３４ｂを優先的に音声収集用のマイク３４として選択する。同様に、ユーザＵＳが縦に並んだ２個所の描画エリアＡＲ（例えば、描画エリアＡＲ１、ＡＲ４）に同時に描画している場合、選択部５２は、上方のマイク３４（例えば、マイク３４ｂ）を選択する。これにより、会議端末１４は、描画中のユーザがマイク３４を塞いで音声の収集を妨げることを抑制できる。
【００６０】
＜第３変形例＞
図９は、第３変形例を説明するための入出力ボード部２０の正面図である。図９に示す状況では、判定部５０は、ユーザがタッチパネル・ディスプレイ３２の２個所に同時に描画していると判定して、当該描画している位置を含む描画エリアＡＲ３、ＡＲ４の情報を選択部５２に出力する。選択部５２は、描画エリアＡＲ３、ＡＲ４の情報を取得すると、描画中の描画エリアＡＲ３、ＡＲ４から最も遠いマイク３４を選択する。但し、ユーザが水平方向に並んだ２個所の描画エリアＡＲ３、ＡＲ４に描画している場合、最も遠いマイク３４が同じ高さに２つあるので、選択部５２は、予め設定された優先度に基づいて、マイク３４を選択する。
【００６１】
＜第４変形例＞
図１０は、第４変形例を説明するための入出力ボード部２０の正面図である。図１０に示すように、入出力ボード部２０は、６個のマイク３４ａ、３４ｂ、３４ｃ、３４ｄ、３４ｅ、３４ｆを有してもよい。マイク３４ｅは、入出力ボード２０の上部の中央に設置されている。マイク３４ｆは、入出力ボード２０の下部の中央に設置されている。この場合、マイク３４に合わせて、タッチパネル・ディスプレイ３２を細分化して６個の描画エリアＡＲ１、ＡＲ２、ＡＲ３、ＡＲ４、ＡＲ５、ＡＲ６を設定してよい。描画エリアＡＲ５は、タッチパネル・ディスプレイ３２の中央の上側に配置されている。描画エリアＡＲ６は、タッチパネル・ディスプレイ３２の中央の下側に配置されている。これにより、選択部５２は、マルチタッチ時により精度よくマイク３４を選択することができる。
【００６２】
上述の実施形態の各構成の機能、配置、形状、個数等は適宜変更してよい。また、上述の実施形態と各変形例とを組み合わせてもよい。
【００６３】
例えば、マイク３４及び描画エリアＡＲの個数は適宜変更してよい。
【００６４】
上述の判定部５０による描画エリアＡＲを判定するステップＳ１１０、Ｓ１１４、Ｓ１１８の順序は、適宜変更してよい。
【００６５】
上述の実施形態は、例として提示したものであり、本発明の範囲を限定することは意図していない。この新規な実施形態は、その他の様々な形態で実施されることが可能であり、発明の要旨を逸脱しない範囲で、種々の省略、置き換え、変更を行うことも可能である。実施形態および実施形態の変形は、発明の範囲や要旨に含まれると共に、特許請求の範囲に記載された発明とその均等の範囲に含まれる。
【符号の説明】
【００６６】
１４…会議端末
２０…入出力ボード部
２６…情報処理部（コンピュータ）
３０…カメラ
３２…タッチパネル・ディスプレイ
３４…マイク
４０…制御部
ＡＲ…描画エリア
【先行技術文献】
【特許文献】
【００６７】
【特許文献１】特開２０１６−１１１６４５号公報
【特許文献２】特開２０１２−２０３１２２号公報
【図１】
2018060297.tif 000003
【図２】
2018060297.tif 000004
【図３】
2018060297.tif 000005
【図４】
2018060297.tif 000006
【図５】
2018060297.tif 000007
【図６】
2018060297.tif 000008
【図７】
2018060297.tif 000009
【図８】
2018060297.tif 000010
【図９】
2018060297.tif 000011
【図１０】
2018060297.tif 000012